(57)【要約】【課題】  使用中のディスプレイパネルの背面側に位置する操作部等の一時的な操作を迅速、かつ、容易に行えるようにするとともに、ディスプレイパネルの通常使用状態への復帰の手間を低減する。【解決手段】  ユーザの指示に従ってディスプレイパネルを通常使用位置から一時待避位置に待避させ、ディスプレイパネルを一時待避位置に待避させてからユーザが設定した所定の時間が経過した場合に、ディスプレイパネルを通常使用位置に復帰させる。【選択図】      図９
2005231572.tif 000002
【特許請求の範囲】
【請求項１】
ユーザの指示に従ってディスプレイパネルを通常使用位置から一時待避位置に待避させる待避処理部と、
前記ディスプレイパネルを待避させてから予め設定された設定時間が経過したか否かを判別する経過時間判別部と、
前記ディスプレイパネルを待避させてから前記設定時間が経過した場合に、前記ディスプレイパネルを前記通常使用位置に復帰させる復帰部と、
を備えたことを特徴とする車載用ディスプレイ装置。
【請求項２】
請求項１記載の車載用ディスプレイ装置において、
前記設定時間をあらかじめユーザが設定可能な待避時間設定部と、
前記設定時間を記憶する設定時間記憶部と、
を備えたことを特徴とする車載用ディスプレイ装置。
【請求項３】
請求項１または請求項２記載の車載用ディスプレイ装置において、
前記一時待避位置は、前記ディスプレイパネルが前記通常使用位置にある場合に、前記ディスプレイパネルの背面側に位置することととなる他の装置の操作部の操作が行える位置とすることを特徴とする車載用ディスプレイ装置。
【請求項４】
請求項１ないし請求項３のいずれかに記載の車載用ディスプレイ装置において、
前記通常使用位置を記憶する通常使用位置記憶部を備え、
前記復帰部は、前記通常使用位置記憶部に記憶した前記通常使用位置を参照して前記ディスプレイパネルを前記通常使用位置に復帰させる、
ことを特徴とする車載用ディスプレイ装置。
【請求項５】
ユーザの指示に従ってディスプレイパネルを通常使用位置から一時待避位置に待避させる待避処理過程と、
前記ディスプレイパネルを待避させてから予め設定された設定時間が経過したか否かを判別する経過時間判別過程と、
前記ディスプレイパネルを待避させてから前記設定時間が経過した場合に、前記ディスプレイパネルを前記通常使用位置に復帰させる復帰過程と、
を備えたことを特徴とする車載用ディスプレイ装置の制御方法。
【請求項６】
請求項５記載の車載用ディスプレイ装置の制御方法において、
前記設定時間をあらかじめユーザに設定させる待避時間設定過程と、
前記設定時間を記憶する設定時間記憶過程と、
を備えたことを特徴とする車載用ディスプレイ装置の制御方法。
【請求項７】
請求項５または請求項６記載の車載用ディスプレイ装置の制御方法において、
前記通常使用位置を記憶する通常使用位置記憶過程を備え、
前記復帰過程は、前記通常使用位置記憶過程において記憶した前記通常使用位置を参照して前記ディスプレイパネルを前記通常使用位置に復帰させる、
ことを特徴とする車載用ディスプレイ装置の制御方法。
【請求項８】
車載用ディスプレイ装置をコンピュータにより制御するための制御プログラムにおいて、
ユーザの指示に従ってディスプレイパネルを通常使用位置から一時待避位置に待避させ、
前記ディスプレイパネルを待避させてから予め設定された設定時間が経過したか否かを判別させ、
前記ディスプレイパネルを待避させてから前記設定時間が経過した場合に、前記ディスプレイパネルを前記通常使用位置に復帰させる、
ことを特徴とする制御プログラム。
【請求項９】
請求項８記載の制御プログラムにおいて、
前記設定時間をあらかじめユーザに設定させ、
前記設定時間を記憶させる、
ことを特徴とする制御プログラム。
【請求項１０】
請求項８または請求項９記載の制御プログラムにおいて、
前記通常使用位置を記憶させ、
記憶させた前記通常使用位置を参照して前記ディスプレイパネルを前記通常使用位置に復帰させる、
ことを特徴とする制御プログラム。
【請求項１１】
請求項８ないし請求項１０のいずれかに記載の制御プログラムを記録したことを特徴とするコンピュータ読取可能な記録媒体。
【発明の詳細な説明】
【技術分野】
【０００１】
本発明は、車載用ディスプレイ装置、車載用ディスプレイ装置の制御方法、制御プログラムおよび記録媒体に係り、特に未使用時には筐体内に水平状態でディスプレイパネルを収納させ、使用時にはディスプレイパネルを水平にせり出させて、回動させ、ユーザに表示画面を対向させる車載用ディスプレイ装置の制御方法、制御プログラムおよび記録媒体に関する。
【背景技術】
【０００２】
従来より、未使用時に車両のダッシュボード内に設置された筐体内に水平状態で収納され、使用時にディスプレイパネルを水平にせり出させ、回動させてユーザに表示画面を対向させる車載用ディスプレイ装置が知られている（たとえば、特許文献１参照）。
【０００３】
この場合において、ディスプレイパネルは、回動されることによりユーザが表示画面を目視容易な角度に起立させることとなっていた。
【特許文献１】特開２０００−３０９２４７号公報
【発明の開示】
【発明が解決しようとする課題】
【０００４】
ところで、上記従来の車載用ディスプレイをダッシュボード内に設置し、ディスプレイパネルを使用状態にして起立させた状態では、エアコンやラジオ等のダッシュボード上の各種操作部がディスプレイパネルの裏面側に位置することとなり、それらの操作が困難になってしまうという問題点があった。
【０００５】
もちろんディスプレイパネルを手前側（ユーザ側）に回動させて、ディスプレイパネルを水平状態とすればエアコンやラジオ等の操作部を操作することが可能となるが、操作終了後にユーザが再びディスプレイパネルを回動させて通常使用状態としなければならず、手間が煩雑になるという問題点があった。
【０００６】
そこで、本発明の目的は、使用中のディスプレイパネルの背面側に位置する操作部等の一時的な操作を迅速、かつ、容易に行えるようにするとともに、ディスプレイパネルの通常使用状態への復帰の手間を低減することが可能な車載用ディスプレイ装置、車載用ディスプレイ装置の制御方法、制御プログラムおよび記録媒体を提供することにある。
【課題を解決するための手段】
【０００７】
上記課題を解決するため、車載用ディスプレイ装置は、ユーザの指示に従ってディスプレイパネルを通常使用位置から一時待避位置に待避させる待避処理部と、前記ディスプレイパネルを待避させてから予め設定された設定時間が経過したか否かを判別する経過時間判別部と、前記ディスプレイパネルを待避させてから前記設定時間が経過した場合に、前記ディスプレイパネルを前記通常使用位置に復帰させる復帰部と、を備えたことを特徴としている。
【０００８】
上記構成によれば、待避処理部は、ユーザの指示に従ってディスプレイパネルを通常使用位置から一時待避位置に待避させる。
経過時間判別部は、ディスプレイパネルを待避させてから予め設定された設定時間が経過したか否かを判別する。
これらの結果、復帰部は、ディスプレイパネルを待避させてから設定時間が経過した場合に、ディスプレイパネルを通常使用位置に復帰させる。
【０００９】
この場合において、前記設定時間をあらかじめユーザが設定可能な待避時間設定部と、前記設定時間を記憶する設定時間記憶部と、を備えるようにしてもよい。
また、前記一時待避位置は、前記ディスプレイパネルが前記通常使用位置にある場合に、前記ディスプレイパネルの背面側に位置することととなる他の装置の操作部の操作が行える位置とするようにしてもよい。
【００１０】
さらに、前記通常使用位置を記憶する通常使用位置記憶部を備え、前記復帰部は、前記通常使用位置記憶部に記憶した前記通常使用位置を参照して前記ディスプレイパネルを前記通常使用位置に復帰させるようにしてもよい。
【００１１】
また、車載用ディスプレイ装置の制御方法は、ユーザの指示に従ってディスプレイパネルを通常使用位置から一時待避位置に待避させる待避処理過程と、前記ディスプレイパネルを待避させてから予め設定された設定時間が経過したか否かを判別する経過時間判別過程と、前記ディスプレイパネルを待避させてから前記設定時間が経過した場合に、前記ディスプレイパネルを前記通常使用位置に復帰させる復帰過程と、を備えたことを特徴としている。
【００１２】
この場合において、前記設定時間をあらかじめユーザに設定させる待避時間設定過程と、前記設定時間を記憶する設定時間記憶過程と、を備えるようにしてもよい。
また、前記通常使用位置を記憶する通常使用位置記憶過程を備え、前記復帰過程は、前記通常使用位置記憶過程において記憶した前記通常使用位置を参照して前記ディスプレイパネルを前記通常使用位置に復帰させるようにしてもよい。
【００１３】
また、車載用ディスプレイ装置をコンピュータにより制御するための制御プログラムは、ユーザの指示に従ってディスプレイパネルを通常使用位置から一時待避位置に待避させ、前記ディスプレイパネルを待避させてから予め設定された設定時間が経過したか否かを判別させ、前記ディスプレイパネルを待避させてから前記設定時間が経過した場合に、前記ディスプレイパネルを前記通常使用位置に復帰させることを特徴としている。
【００１４】
この場合において、前記設定時間をあらかじめユーザに設定させ、前記設定時間を記憶させるようにしてもよい。
また、前記通常使用位置を記憶させ、記憶させた前記通常使用位置を参照して前記ディスプレイパネルを前記通常使用位置に復帰させるようにしてもよい。
また、上記各制御プログラムをコンピュータ読取可能な記録媒体に記録することも可能である。
【発明の効果】
【００１５】
本発明によれば、使用中のディスプレイパネルの背面側に位置する操作部等の一時的な操作を迅速、かつ、容易に行えるようにするとともに、ディスプレイパネルの通常使用状態への復帰の手間を低減できる。
【発明を実施するための最良の形態】
【００１６】
次に本発明の好適な実施の形態について図面を参照して説明する。
図１は、実施形態の車載用ディスプレイ装置の概要構成ブロック図である。
図２は、実施形態の車載用ディスプレイ装置のディスプレイパネルを一時待避位置（水平位置）とした場合の外観斜視図である。
図３は、実施形態の車載用ディスプレイ装置のディスプレイパネルを通常使用位置（立設位置）とした場合の外観斜視図である。
【００１７】
車載用ディスプレイ装置１０は、車載用ディスプレイ装置１０全体を制御するマイクロコンピュータ１１と、ユーザが各種操作を行う操作部１２と、各種情報を表示するディスプレイパネル１３と、ディスプレイパネル１３を水平駆動あるいは回動駆動するための駆動部１４と、各種データを不揮発的に更新可能に記憶するＥＥＰＲＯＭ１５と、を備えている。
【００１８】
マイクロコンピュータ１１は、制御用プログラムおよび制御用データをあらかじめ記憶しているＲＯＭ２１と、各種データを一時的に格納するＲＡＭ２２と、ＲＯＭ２１に格納された制御用プログラムに基づいてディスプレイパネル１３の駆動制御および表示制御を行うＣＰＵ２４と、を備えている。
【００１９】
操作部１２は、ディスプレイパネル１３が筐体内に収納されている場合に、ディスプレイパネルをせり出させて、通常使用位置まで回動させるための指示操作を行うためのオープンキー１２Ａ（図２参照）およびディスプレイパネル１３が通常使用位置にある場合に、一時待避位置あるいは収納位置にディスプレイパネル１３を移動させるための指示操作を行うためのクローズキー１２Ｂ（図２参照）を備えている。
【００２０】
ディスプレイパネル１３は、例えば、液晶ディスプレイを備えて構成されており、必要に応じて、その表面には、操作部１２を構成するタッチパネルが設けられている。
【００２１】
駆動部１４は、ディスプレイパネル１３を水平方向に駆動する水平駆動用モータ１４Ａと、ディスプレイパネル１３を回動軸を回動中心として回動させる回動用モータ１４Ｂと、を備えている。
車載用ディスプレイ装置１０は、図２あるいは図３に示すように、ダッシュボードパネルＤＰ内にその筐体が収納されるように設けられている。
【００２２】
次に実施形態の車載用ディスプレイ装置の動作について説明する。
図４は、ディスプレイパネルを筐体内に収納している場合に、通常使用位置までディスプレイパネルを引き出すための処理フローチャートである。
図５は、車載用ディスプレイ装置のディスプレイパネル収納状態の説明図である。
【００２３】
図６は、車載用ディスプレイ装置のディスプレイパネルを一時待避位置まで水平に引き出した状態の説明図である。
図７は、車載用ディスプレイ装置のディスプレイパネルの回動動作の説明図である。
図８は、車載用ディスプレイ装置のディスプレイパネルを通常使用位置としたときの説明図である。
【００２４】
マイクロコンピュータ１１は、図５に示すように、ディスプレイパネル１３が筐体内に収納された状態の時に、オープンキー１２Ａが押し下げ操作されると、駆動部１４を制御し、水平駆動用モータ１４Ａを駆動して、筐体から水平にディスプレイパネル１３を移動させる（ステップＳ１）。
【００２５】
このとき、ディスプレイパネル１３が水平駆動終了位置に至ると、図示しない水平位置検出スイッチがオン状態となるように構成されている。
したがって、マイクロコンピュータ１１は、水平駆動用モータ１４Ａの駆動中は、水平位置検出スイッチの出力に基づいてディスプレイパネル１３が水平駆動終了位置に至ったか否かを判別する（ステップＳ２）。
【００２６】
ステップＳ２の判別において、未だディスプレイパネル１３が水平駆動終了位置に至っていない場合には（ステップＳ２；Ｎｏ）、マイクロコンピュータ１１は、そのまま待機状態となる。
【００２７】
ステップＳ２の判別において、ディスプレイパネル１３が水平駆動終了位置に至った場合には（ステップＳ２；Ｙｅｓ）、マイクロコンピュータ１１は、駆動部１４を制御し、水平駆動用モータ１４Ａを停止させる（ステップＳ３）。
この状態でディスプレイパネル１３は、図６に示すように、水平に完全に引き出された状態（一時待避位置に相当）となる。
【００２８】
次にマイクロコンピュータ１１は、駆動部１４を制御し、回動用モータ１４Ｂを駆動して、図７に示すように、水平に引き出されたディスプレイパネル１３を回動軸１３Ａを中心として上方に回動させる（ステップＳ４）。
【００２９】
このとき、ディスプレイパネル１３が回動し、回動終了位置に至ると、図示しない通常使用位置検出センサの出力が“Ｈ”レベルとなるように構成されている。この通常使用位置検出センサは、例えば、ロータリーエンコーダなどで構成されて、ユーザの好みの回動位置を通常使用位置として検出することが可能となっている。ここで、回動終了位置は、デフォルト設定の他、図示しないチルト設定キーによりユーザが設定した位置がＥＥＰＲＯＭ１５内に格納されており、マイクロコンピュータ１１は、通常使用位置検出センサの出力とＥＥＰＲＯＭ１５に格納されている設定位置とを比較して回動終了位置を判別している。
【００３０】
したがって、マイクロコンピュータ１１は、回動用モータ１ＢＡの駆動中は、通常使用位置検出センサの出力に基づいてディスプレイパネル１３が通常使用位置に至ったか否かを判別する（ステップＳ５）。
【００３１】
ステップＳ５の判別において、未だディスプレイパネル１３が通常使用位置に至っていない場合には（ステップＳ５；Ｎｏ）、マイクロコンピュータ１１は、そのまま待機状態となる。
【００３２】
ステップＳ５の判別において、図８に示すように、ディスプレイパネル１３が通常使用位置に至った場合には（ステップＳ５；Ｙｅｓ）、マイクロコンピュータ１１は、駆動部１４を制御し、回動用モータ１４Ｂを停止させる（ステップＳ６）。
【００３３】
この状態において、エアコン等の操作部の操作キー５１Ａ〜５１Ｆは、ディスプレイパネル１３の背面側に位置することとなり、これらの操作キー５１Ａ〜５１Ｆの操作が必要な場合は、以下に詳述する手順によりディスプレイパネル１３を一時待避位置に待避させることとなる。
【００３４】
図９は、クローズキーを操作した場合のディスプレイパネルの制御処理フローチャートである。
まずマイクロコンピュータ１１は、クローズキー１２Ｂが操作されたか否かを判別する（ステップＳ１１）。
【００３５】
ステップＳ１１の判別において、クローズキー１２Ｂが操作されていない場合には（ステップＳ１１；Ｎｏ）、待機状態となる。
【００３６】
ステップＳ１１の判別において、クローズキー１２Ｂが操作された場合には（ステップＳ１１；Ｙｅｓ）、マイクロコンピュータ１１は、通常使用位置検出センサの出力に基づいてディスプレイパネル１３が通常使用位置にあるか否かを判別する（ステップＳ１２）。
【００３７】
ステップＳ１２の判別において、ディスプレイパネル１３が通常使用位置にある場合には（ステップＳ１２；Ｙｅｓ）、マイクロコンピュータ１１は、駆動部１４を制御し、回動用モータ１４Ｂを駆動して、図８に示したように、通常使用位置にあるディスプレイパネル１３を回動軸１３Ａを中心として下方に回動させ、ディスプレイパネル１３が水平になった状態（一時待避位置に相当）とする。
【００３８】
次に、マイクロコンピュータ１１は、図示しない内部タイマをスタートさせる。
この内部タイマのタイムアップ時間は予めユーザが任意に設定しておくものであり、タイムアップ時間はユーザ設定時間としてＥＥＰＲＯＭ１５に書き込まれている。
【００３９】
従って、マイクロコンピュータ１１は、ＥＥＰＲＯＭ１５からユーザ設定時間を読み出し、内部タイマのカウント値に対応する経過時間と比較し、ユーザ設定時間が経過したか否かを判別する（ステップＳ１５）。
【００４０】
ここで、ユーザ設定時間は、操作キー５１Ａ〜５１Ｆの操作が必要な場合にディスプレイパネル１３を一時待避位置に操作に必要な時間だけ待避させておくために用いるものであり、このユーザ設定時間が経過すると、マイクロコンピュータ１１は、ディスプレイパネル１３を自動的に通常使用位置に復帰させるとなる。
【００４１】
すなわち、ステップＳ１５の判別において、ユーザ設定時間が経過した場合には（ステップＳ１５；Ｙｅｓ）、マイクロコンピュータ１１は、駆動部１４を制御し、回動用モータ１４Ｂを駆動して、図７に示したように、水平位置にあるディスプレイパネル１３を回動軸１３Ａを中心として上方に回動させ、ディスプレイパネル１３が通常使用位置に至った場合には、駆動部１４を制御し、回動用モータ１４Ｂを停止させることとなる。
【００４２】
ステップＳ１５の判別において、未だユーザ設定時間が経過していない場合には（ステップＳ１５；Ｎｏ）、マイクロコンピュータ１１は、オープンキー１２Ａが操作されたか否かを判別する（ステップＳ１７）。
【００４３】
ステップＳ１７の判別において、オープンキー１２Ａが操作された場合には（ステップＳ１７；Ｙｅｓ）、ユーザは再びディスプレイパネル１３を通常使用位置に戻すことを要求しているので、マイクロコンピュータ１１は、駆動部１４を制御し、回動用モータ１４Ｂを駆動して、図７に示したように、水平位置にあるディスプレイパネル１３を回動軸１３Ａを中心として上方に回動させ、ディスプレイパネル１３が通常使用位置に至った場合には、駆動部１４を制御し、回動用モータ１４Ｂを停止させることとなる。
【００４４】
ステップＳ１７の判別において、オープンキー１２Ａの操作がされていない場合には（ステップＳ１７；Ｎｏ）、マイクロコンピュータ１１は、クローズキー１２Ｂが操作されたか否かを判別する（ステップＳ１８）。
ステップＳ１８の判別において、クローズキー１２Ｂが操作されていない場合には（ステップＳ１８；Ｎｏ）、再び処理をステップＳ１５に移行し、以下、同様の処理を行う。
【００４５】
ステップＳ１８の判別において、クローズキー１２Ｂが操作された場合には（ステップＳ１８；Ｙｅｓ）、マイクロコンピュータ１１は、ユーザがディスプレイパネル１３を筐体内に収容することを要求しているので、図５に示したように、ディスプレイパネル１３を筐体内に収納するべく、駆動部１４を制御し、水平駆動用モータ１４Ａを駆動して、筐体内にディスプレイパネル１３を移動し、収納させる（ステップＳ１９）。
【００４６】
このとき、ディスプレイパネル１３が収納完了位置に至ると、図示しない収納完了スイッチがオン状態となるように構成されている。
したがって、マイクロコンピュータ１１は、水平駆動用モータ１４Ａの駆動中は、水平位置検出スイッチの出力に基づいてディスプレイパネル１３が収納完了位置に至ったか否かを判別することとなり、収納完了位置に至った場合には水平駆動用モータ１４Ａを停止させる。
【００４７】
ステップＳ１２の判別において、ディスプレイパネル１３が通常使用位置にはない場合には（ステップＳ１２；Ｎｏ）、マイクロコンピュータ１１は、図６に示したように、ディスプレイパネル１３が水平になった状態（一時待避位置）にあるか否かを判別する（ステップＳ２０）。
【００４８】
ステップＳ２０の判別において、ディスプレイパネル１３が水平になった状態（一時待避位置）にある場合には（ステップＳ２０；Ｙｅｓ）、マイクロコンピュータ１１は、ユーザがディスプレイパネル１３を筐体内に収容することを要求しているので、図５に示したように、ディスプレイパネル１３を筐体内に収納するべく、駆動部１４を制御し、水平駆動用モータ１４Ａを駆動して、筐体内にディスプレイパネル１３を移動し、収納させ、収納完了位置に至った場合には水平駆動用モータ１４Ａを停止させる（ステップＳ２１）。
【００４９】
また、ステップＳ２０の判別において、図６に示したように、ディスプレイパネル１３が水平になった状態（一時待避位置）にはない場合には、既にディスプレイパネル１３は筐体内に収納されていると考えられるため、処理を終了する。
【００５０】
以上の説明のように、本実施形態によれば、車載ディスプレイ装置の使用時ディスプレイパネル１３の背面に位置することとなる、エアコンやラジオの操作が迅速に行え、さらに操作後、すなわち、ユーザ設定時間の経過後には自動的に通常使用位置にディスプレイパネル１３が復帰するので、ユーザの手間を煩わせることがなくなる。
【００５１】
ここで、ディスプレイパネル１３が通常使用位置に復帰するまでの時間は、ユーザが任意に設定可能となっているため、ユーザの好みの時間とすることができ、操作性が向上する。
【００５２】
以上の説明においては、ディスプレイパネル１３が通常使用位置にある場合には、クローズキー１２Ｂの二度押しで収納状態に移行するように構成していたが、クローズキー１２Ｂを長押しすることにより、完全収納状態に移行させるように構成することも可能である。あるいはクローズキー１２Ｂに加えてディスプレイパネル１３の一時待避用キーを設け、この一時待避用キーによりディスプレイパネル１３を一時待避状態に移行させるとともに、クローズキー１２Ｂの操作で、完全収納状態に移行させるように構成することも可能である。
【００５３】
また、一時待避位置は、図２などに示した水平状態とせずに、エアコンなどの操作が可能な任意の位置とするように構成することも可能である。
【００５４】
以上の説明においては、車載用ディスプレイ装置を制御するための制御プログラムがマイクロコンピュータ１１を構成するＲＯＭ２１に予め記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い車載用ディスプレイ装置を構成することが可能となる。
【図面の簡単な説明】
【００５５】
【図１】実施形態の車載用ディスプレイ装置の概要構成ブロック図である。
【図２】実施形態の車載用ディスプレイ装置のディスプレイパネルを一時待避位置（水平位置）とした場合の外観斜視図である。
【図３】実施形態の車載用ディスプレイ装置のディスプレイパネルを通常使用位置（立設位置）とした場合の外観斜視図である。
【図４】ディスプレイパネルを筐体内に収納している場合に、通常使用位置までディスプレイパネルを引き出すための処理フローチャートである。
【図５】車載用ディスプレイ装置のディスプレイパネル収納状態の説明図である。
【図６】車載用ディスプレイ装置のディスプレイパネルを一時待避位置まで水平に引き出した状態の説明図である。
【図７】車載用ディスプレイ装置のディスプレイパネルの回動動作の説明図である。
【図８】車載用ディスプレイ装置のディスプレイパネルを通常使用位置としたときの説明図である。
【図９】クローズキーを操作した場合のディスプレイパネルの制御処理フローチャートである。
【符号の説明】
【００５６】
１０…車載用ディスプレイ装置
１１…マイクロコンピュータ（待避処理部、経過時間判別部、復帰部、待避時間設定部）
１２…操作部（待避時間設定部）
１２Ａ…オープンキー
１２Ｂ…クローズキー
１３…ディスプレイパネル
１４…駆動部（待避処理部、復帰部）
１４Ａ…水平駆動用モータ（待避処理部、復帰部）
１４Ｂ…回動用モータ（待避処理部、復帰部）
２１…ＲＯＭ
２２…ＲＡＭ
２３…ＥＥＰＲＯＭ（設定時間記憶部、通常使用位置記憶部）
２４…ＣＰＵ
【図１】
2005231572.tif 000003
【図２】
2005231572.tif 000004
【図３】
2005231572.tif 000005
【図４】
2005231572.tif 000006
【図５】
2005231572.tif 000007
【図６】
2005231572.tif 000008
【図７】
2005231572.tif 000009
【図８】
2005231572.tif 000010
【図９】
2005231572.tif 000011